(57)【特許請求の範囲】
【請求項１】
前後方向に通り抜ける開口を形成させた戸枠と左右方向のスライドにより前記戸枠内開口を開閉する引き戸との両者間にあって前記引き戸の全閉時に互いに出会うようになる前記引き戸の縦縁部と前記戸枠の縦枠部とのうちいずれか一方に設けられる雄部材と、同他方に設けられる雌部材と、を有しており、
前記引き戸は、前後方向の一方面からの加熱で加熱側へ膨張変形可能な構成とされ且つこの引き戸に対する前部側又は後部側に前記雄部材及び雌部材が配置されており、
前記雄部材には、前記引き戸のスライドにより前記雌部材と対向して近接離反する配置で係合突起が設けられており、
前記雌部材は、前記雄部材に設けられた係合突起よりも前後方向に広い口幅に形成された係合口及び前記係合口より奥方の嵌め位置に形成された奥部移動室を有しており、
前記奥部移動室は前記係合突起に前後移動を許容可能な程度に前記係合口の口幅に比べて前後方向に広がって形成されており、
且つ前記雌部材には、閉鎖状態にある引き戸が前後方向に変形するときに前記奥部移動室内に嵌った前記係合突起と当接して引き戸に閉鎖方向へ向けた押し力を生起させるカム作用発生部が形成されている
ことを特徴とする引き戸の防火装置。
【請求項２】
前記雄部材及び雌部材は、前記引き戸の上部及び／又は下部に対応する高さで設けられており、
前記雌部材の奥部移動室は、前記引き戸の前記縦縁部が前方へ変形し前記戸枠の前記縦枠部に向けて接近するときに前記係合口に対し前記係合突起の相対的な前方移動を許容する前方室を有したものであることを特徴とする請求項１記載の引き戸の防火装置。
【請求項３】
前記雄部材及び雌部材は、前記引き戸の上下方向中間部に対応する高さで設けられており、
前記雌部材の奥部移動室は、前記引き戸の前記縦縁部が後方へ変形し前記戸枠の前記縦枠部から離反するときに前記係合口に対し前記係合突起の相対的な後方移動を許容する後方室を有したものであることを特徴とする請求項１又は請求項２記載の引き戸の防火装置。
【請求項４】
前記カム作用発生部は、前記係合口から前記奥部移動室に向けて前方又は後方へ斜めに推移する勾配面によって形成されていることを特徴とする請求項１乃至請求項３のいずれか１項に記載の引き戸の防火装置。
【請求項５】
前記雄部材において、前記係合突起は少なくとも前記雌部材の前記係合口に嵌る部分が長手方向を上下に向けた円柱形に形成されていることを特徴とする請求項１乃至請求項４
のいずれか１項に記載の引き戸の防火装置。
【請求項６】
前記雄部材は、平板によって形成された取付板部と、この取付板部から張り出した状態で前記係合突起を支持する支持板部とを有しており、前記支持板部は、前記取付板部と前記係合突起とが前後方向で非面一となるように左右方向へ偏らせるために屈曲して前記取付板部に連結されていることを特徴とする請求項１乃至請求項５のいずれか１項に記載の引き戸の防火装置。
【請求項７】
前記雄部材及び雌部材は、引き戸によって閉鎖される区画内の温度環境に曝されることのない区画外側に設けられていることを特徴とする請求項１乃至請求項６のいずれか１項に記載の引き戸の防火装置。
【請求項８】
前記雄部材は、前記引き戸において閉鎖方向のスライド時に後側となる尻側縦縁部に設けられ、前記雌部材は、前記引き戸の全閉時に前記尻側縦縁部と出会う戸枠の縦枠部に設けられていることを特徴とする請求項１乃至請求項７のいずれか１項に記載の引き戸の防火装置。
【発明の詳細な説明】
【技術分野】
【０００１】
本発明は、引き戸の防火装置に関する。
【背景技術】
【０００２】
開き扉（蝶番やヒンジ構造を有して揺動により開閉するドア）に施す防火構造は公知である（特許文献１等参照）。この公知の防火構造は、ヒンジが取り付けられる扉の端面にフランジ付きの突起を設けると共に、扉枠側において扉の閉鎖時にこの突起を嵌め入れる突起受け（孔）を設けておくものである。火災発生時などに扉が膨出変形を起こすと、突起が突起受け内で偏心状の位置ズレを起こし、突起のフランジと突起受けの開口縁部との間に引っ掛かりが生じることを利用して、以降、扉の膨出変形を抑制しようとするものであった。
【先行技術文献】
【特許文献】
【０００３】
【特許文献１】実開昭５３−１７５９５号公報
【発明の概要】
【発明が解決しようとする課題】
【０００４】
従来公知の防火構造は開き扉用なので、この防火構造を、引き戸（溝やレール等に沿ったスライドにより開閉するドア）で実施することはできなかった。また、この従来公知の防火構造では、突起と突起受けとの引っ掛かりで扉のヒンジ取付側を扉枠に係留させることはできても、扉におけるヒンジ取付側とは反対側（即ち、ドアノブが取り付けられる側）では、ドアラッチなどによる係合以外、何ら係留力を得ることはできない。そのため、膨出変形を起こした扉と扉枠との間に隙間が発生し、火炎が噴き出すおそれがあった。
【０００５】
なお、火災発生時などに、閉鎖状態の扉の外周部から火炎が噴き出すようなものは防火構造としての法的認定を受けることができない。前記した従来公知の防火構造は、扉自体の膨出変形を規定範囲内にすることが目的で、この規定範囲内では、何ら対策を講じなかった場合の火炎噴き出しが抑制されるという効果は生じるかもしれない。しかし、扉が膨出変形したことによる扉と扉枠との隙間発生を抑える効果はないため、火炎の噴き出しを防止するという作用は極めて低いか、或いはこの作用を有しないものであると推察される。
【０００６】
本発明は、上記事情に鑑みてなされたものであって、引き戸に対して実施可能であり、
また火災発生時などに火炎の噴き出しを防止することができ、防火構造としての法的認定を受けることもできる引き戸の防火装置を提供することを目的とする。
【課題を解決するための手段】
【０００７】
前記目的を達成するために、本発明は次の手段を講じた。
即ち、本発明に係る引き戸の防火装置は、前後方向に通り抜ける開口を形成させた戸枠と左右方向のスライドにより前記戸枠内開口を開閉する引き戸との両者間にあって前記引き戸の全閉時に互いに出会うようになる前記引き戸の縦縁部と前記戸枠の縦枠部とのうちいずれか一方に設けられる雄部材と、同他方に設けられる雌部材と、を有しており、前記引き戸は、前後方向の一方面からの加熱で加熱側へ膨張変形可能な構成とされ且つこの引き戸に対する前部側又は後部側に前記雄部材及び雌部材が配置されており、前記雄部材には、前記引き戸のスライドにより前記雌部材と対向して近接離反する配置で係合突起が設けられており、前記雌部材は、前記雄部材に設けられた係合突起よりも前後方向に広い口幅に形成された係合口及び前記係合口より奥方の嵌め位置に形成された奥部移動室を有しており、前記奥部移動室は前記係合突起に前後移動を許容可能な程度に前記係合口の口幅に比べて前後方向に広がって形成されており、且つ前記雌部材には、閉鎖状態にある引き戸が前後方向に変形するときに前記奥部移動室内に嵌った前記係合突起と当接して引き戸に閉鎖方向へ向けた押し力を生起させるカム作用発生部が形成されていることを特徴とする。
【０００８】
前記雄部材及び雌部材は、前記引き戸の上部及び／又は下部に対応する高さで設けられており、前記雌部材の奥部移動室は、前記引き戸の前記縦縁部が前方へ変形し前記戸枠の前記縦枠部に向けて接近するときに前記係合口に対し前記係合突起の相対的な前方移動を許容する前方室を有したものとすればよい。
前記雄部材及び雌部材は、前記引き戸の上下方向中間部に対応する高さで設けられており、前記雌部材の奥部移動室は、前記引き戸の前記縦縁部が後方へ変形し前記戸枠の前記縦枠部から離反するときに前記係合口に対し前記係合突起の相対的な後方移動を許容する後方室を有したものとすればよい。
【０００９】
前記カム作用発生部は、前記係合口から前記奥部移動室に向けて前方又は後方へ斜めに推移する勾配面によって形成されたものとするのが好適である。
前記雄部材において、前記係合突起は少なくとも前記雌部材の前記係合口に嵌る部分が長手方向を上下に向けた円柱形に形成されたものとするのが好適である。
前記雄部材は、平板によって形成された取付板部と、この取付板部から張り出した状態で前記係合突起を支持する支持板部とを有しており、前記支持板部は、前記取付板部と前記係合突起とが前後方向で非面一となるように左右方向へ偏らせるために屈曲して前記取付板部に連結されたものとするのが好適である。
【００１０】
前記雄部材及び雌部材は、引き戸によって閉鎖される区画内の温度環境に曝されることのない区画外側に設けられたものとしてもよい。
前記雄部材は、前記引き戸において閉鎖方向のスライド時に後側となる尻側縦縁部に設けられ、前記雌部材は、前記引き戸の全閉時に前記尻側縦縁部と出会う戸枠の縦枠部に設けられたものとするのが好適である。
【発明の効果】
【００１１】
本発明に係る引き戸の防火装置では、引き戸に対して実施可能であり、また火災発生時などに火炎の噴き出しを防止することができ、防火構造としての法的認定を受けることもできる。
【図面の簡単な説明】
【００１２】
【図１】本発明に係る引き戸の防火装置を示した平面図（図３（Ａ）の一部拡大図）である。
【図２】本発明に係る引き戸の防火装置を示した斜視図である。
【図３】本発明に係る引き戸の防火装置の使用状況を示したもので（Ａ）は引き戸の全閉時（図６（Ｂ）の中間省略平面図）であり（Ｂ）は引き戸の全開時である。
【図４】本発明に係る引き戸の防火装置における作用を説明した平面図であって（Ａ）は引き戸の上部に取り付けた防火装置であり（Ｂ）は引き戸の上下方向中間部に取り付けた防火装置であり（Ｃ）は引き戸の下部に取り付けた防火装置である。
【図５】本発明に係る引き戸の防火装置を引き戸及び戸枠に対して取り付けた状況を示したもので（Ａ）は両引き戸タイプであり（Ｂ）は片引き戸タイプである。
【図６】引き戸の熱による膨出変形を説明した模式側面図である。
【図７】本発明に係る引き戸の防火装置を引き戸及び戸枠に対して取り付けた第２例を示した要部平面図である。
【図８】本発明に係る引き戸の防火装置を引き戸及び戸枠に対して取り付けた第３例を示した要部平面図である。
【図９】本発明に係る引き戸の防火装置を引き戸及び戸枠に対して取り付けた第４例を示した要部平面図である。
【発明を実施するための形態】
【００１３】
以下、本発明の実施の形態を、図面に基づき説明する。
図１乃至図５は、本発明に係る引き戸の防火装置１を示している。この防火装置１は、図５に示すように、前後方向に通り抜ける開口２を形成させた戸枠（左右一対の縦枠部３ａ，３ａと上枠部３ｂと床面３ｃとで形成）と、左右方向のスライドにより戸枠内開口２を開閉する引き戸４とで構成される引き戸装置５に対して実施される。
【００１４】
なお、引き戸装置５には、図５（Ａ）に示すような両引き戸タイプと、同図（Ｂ）に示すような片引き戸タイプとがある。片引き戸タイプの引き戸装置５Ｂでは、戸枠の一方（図５（Ｂ）の左側）の縦枠部３ａが閉鎖位置Ｓとなる。これに対して両引き戸タイプの引き戸装置５Ａでは、開口２の中央で引き戸４同士が突き当たる召し合わせ部分が各引き戸４の閉鎖位置Ｓとなる。このように両タイプ間には閉鎖位置Ｓの所在に顕著な違いがあるが、本発明に係る防火装置１は、いずれのタイプの引き戸装置５Ａ，５Ｂにも実施可能である。
【００１５】
以下では、主として片引き戸タイプの引き戸装置５Ｂに実施する場合を例に挙げて説明する。また、図３（Ａ），（Ｂ）（及び図３（Ａ）の一部拡大図である図１）は図５（Ｂ）に対応させた平面図であるが、以下ではこれら図３各図の上下方向を引き戸装置５の「前後方向（下方が「前」）」、図３各図の左右方向を引き戸装置５の「左右方向（左方が「左」）」とおいて説明を進めるものとする。ここにおいて、引き戸装置５の後方側で火炎が起こることを想定するものとおく。図１に、これらの各方向を付記しておく。
【００１６】
ところで、引き戸装置５において防火性能で法的認定を受けるためには、全閉状態にした引き戸４の一方面から火炎を伴う加熱をしたときに「加熱以外の面に火炎を出さないもの」、或いは「貫通がないもの」としての要求を満たさなければならない。ただ実際上は、図６に示すように引き戸４が加熱側（図６右方）へ凸となる膨張変形を起こしてもその上辺部及び下辺部は戸枠の上枠部３ｂや床部３ｃとの間で隙間を生じ難い事情がある。加えて、図５に示したように、全閉時における引き戸４の一方の縦縁部４ａは戸枠の縦枠部３ａと重なっているために、この重なり部分（閉鎖位置Ｓを除く）で火炎の噴き出しを防止することは既存技術でも対策可能である。そのため、閉鎖位置Ｓで火炎を噴き出させないことが技術的な課題解決の主眼となる。
【００１７】
本発明に係る防火装置１は、引き戸４において、閉鎖方向（閉鎖位置Ｓへ向かう方向）のスライド時に後側となる縦縁部（以下「尻側縦縁部」と言う）４ａと、引き戸４の全閉時に尻側縦縁部４ａと出会うようになる戸枠の縦枠部３ａとの間で設けられている。
この防火装置１は、図１及び図２に示すように、雄部材７と雌部材８とを有している。本実施形態では、雄部材７が引き戸４（尻側縦縁部４ａ）に設けられ、雌部材８が戸枠（縦枠部３ａ）に設けられたものとしてある。これら雄部材７と雌部材８との組み合わせは複数とするのがよく、更に好ましくは、図５に示したように引き戸４の上部と下部、更に上下方向の中間部に対応する高さ位置との、合計３箇所以上に設けるのがよいとされる。また、これら雄部材７及び雌部材８は、引き戸４によって閉鎖される区画が例えば冷凍庫などのように、区画外との間に大きな温度差を有している場合には区画外側に設けて、区画内の温度環境に曝されないようにする（結露防止効果や放熱遮断効果などを得る）のが
好適である。このことが、本実施形態（冷凍庫用の引き戸装置として実施することを想定している）において、雄部材７を引き戸４に設け雌部材８を戸枠に設けた理由の一つでもある。
【００１８】
雄部材７は、取付板部１２と支持板部１３と突起形成板部１４とを有したものであって、突起形成板部１４に対して、上下方向で複数（図例では３つとしている）の係合突起１５が形成されている。このうちの少なくとも係合突起１５が、引き戸４の尻側縦縁部４ａから戸枠の縦枠部３ａへ向けて（後方へ向けて）突出するように、引き戸４に対して取り付けられる。
【００１９】
取付板部１２と支持板部１３との間は平面視すると屈曲した連結状態にあり、支持板部１３と突起形成板部１４との間では逆位相で屈曲した連結状態にある。従ってこの雄部材７は、その全体として平面視形状がクランク折れ状に形成されている。
係合突起１５は、突起形成板部１４の端縁部に側部開放の切欠１７を形成させ、この切欠１７による側部開放を横切るようにして（閉じさせるようにして）丸棒材を寄り添わせ、溶接することで、各切欠１７に対応した配置で形成させてある。従って、係合突起１５は長手方向を上下に向けた円柱形に形成されたものとなっている。なお、図示は省略するが、係合突起１５は、突起形成板部１４において切欠１７に代えて角孔を形成し、この角孔の板端側に生じる縦桟を円柱状に面取り加工することで形成することもできる。このように、係合突起１５の形成方法については何ら限定されるものではない。
【００２０】
取付板部１２は、平板によって形成されており、引き戸４の尻側縦縁部４ａに面対偶（面接触状態）で取り付ける際に、尻側縦縁部４ａへ向けてボルト等を差し込むための取付孔１８が複数形成されている。各取付孔１８は、位置調節を可能とするために前後方向に長い長孔としておくのが好適である。
このようなことから、係合突起１５は、引き戸４をスライドさせたときに、戸枠の縦枠部３ａに取り付けた雌部材８に対して対向しながら近接離反するように、引き戸４に対して設ける（配置させる）ことができる。なお、前記したように取付板部１２と支持板部１３と突起形成板部１４とがそれぞれ屈曲した連結状態にあるので、係合突起１５は、取付板部１２に対して前後方向で非面一となるように左右方向へ偏った配置となっている。
【００２１】
一方、雌部材８は、取付板部２２と、上下方向で複数（係合突起１５と同数とするのが好適であり図例では３つとしている）のハウジングブロック２３とを有している。個々のハウジングブロック２３は、平面視した状態で馬蹄形を横向きにさせた形状（Ｃ形状）に形成されたもので、馬蹄形の先端側で開口している係合口２４と、この係合口２４より奥方側で馬蹄形内部の行き止まりとして形成されている奥部移動室２５とを有している。
【００２２】
係合口２４は、引き戸４が閉鎖方向（図１の左方）へ向けてスライドしたときに、雄部材７の係合突起１５を嵌め入れ可能にしたものである。この係合口２４の口幅Ｗ（前後方向の開口距離）は、引き戸４が左右方向にスライドするときに係合突起１５が真っ直ぐに出たり入ったりできれば十分な程度、すなわち、係合突起１５の太さ（円柱形の外径）よりもやや広い程度の寸法で形成されている。
【００２３】
これに対し、奥部移動室２５は、係合口２４の口幅Ｗに比べて前後方向に広がるように形成されている。従って、この奥部移動室２５内に係合突起１５が嵌ったとき、係合突起１５は前後方向へ向けてある程度の移動が許容されるようになっている。
ところで、図６に示したように、引き戸４が区画内（図６右側）からの加熱で加熱側（図６右方）へ凸となる膨張変形を起こしたとする。このとき、引き戸４は、その上辺部又は下辺部と、上下方向の中間部との相対的な変形として観察すれば、上辺部や下辺部が戸枠から離反する方向、即ち前方（図６の左側）へ向けて変形したものであると言える。
【００２４】
そこで、引き戸４の上部や下部に設ける雌部材８において、奥部移動室２５は、図４（Ａ）や（Ｃ）に示すように、少なくとも前方室２５ｂを有したものとするのが必要となる。この前方室２５ｂを有することで、引き戸４の尻側縦縁部４ａが前方へ変形するのに合わせて係合突起１５の前方移動が許容される。ここにおいて前方室２５ｂは、係合口２４の口幅中央を含めた前半部を指すものとおく。
【００２５】
この奥部移動室２５では、内部側面が、係合口２４から前方室２５ｂに向かうにしたが
って徐々に前方へ斜めに推移する勾配面（図４（Ａ）や（Ｃ）において左下がり面）として形成されたものとなっている。この勾配面は、カム作用発生部として作用する。すなわち、前方室２５ｂへ向かう勾配面を備えた奥部移動室２５では、奥部移動室２５内に嵌った係合突起１５が前方（図４（Ａ）や（Ｃ）の下方）へ移動するときに、この勾配面に当接しつつ斜め向きにガイドされるようになる。そのため、係合突起１５の前方へ向けた移動力は、カム作用により、引き戸４を閉鎖方向へ押す力へと変換されるものとなる（図４（Ａ）や（Ｃ）の左方であって距離Ｌ１，Ｌ３を参照）。
【００２６】
係合突起１５が前方室２５ｂの前端（奥部移動室２５内の前方限界）に達することで、係合突起１５の前方移動が阻止され、引き戸４の変形に抑止力が作用することは言うまでもない。
また一方で、引き戸４が前記膨張変形を起こしたとき、引き戸４は、その上辺部又は下辺部と、上下方向の中間部との相対的な変形として観察すれば、上下方向中間部が戸枠に接近する方向（又は戸枠内の開口２へ入り込む方向）、即ち後方（図６の右側）へ向けて変形したものであると言える。そこで、引き戸４の上下方向中間部に設ける雌部材８において、奥部移動室２５は、図４（Ｂ）に示すように、少なくとも後方室２５ａを有したものとするのが必要となる。この後方室２５ａを有することで、引き戸４の尻側縦縁部４ａが後方へ変形するのに合わせて係合突起１５の後方移動が許容される。ここにおいて後方室２５ａは、係合口２４の口幅中央を含めた後半部を指すものとおく。
【００２７】
この奥部移動室２５では、内部側面が、係合口２４から後方室２５ａに向かうにしたがって徐々に後方へ斜めに推移する勾配面（図４（Ｂ）において左上がり面）として形成されたものとなっている。この勾配面についても、カム作用発生部として作用する。すなわち、後方室２５ａへ向かう勾配面を備えた奥部移動室２５では、奥部移動室２５内に嵌った係合突起１５が後方（図４（Ｂ）の上方）へ移動するときに、この勾配面に当接しつつ斜め向きにガイドされるようになる。そのため、係合突起１５の後方へ向けた移動力は、カム作用により、引き戸４を閉鎖方向へ押す力へと変換されるものとなる（図４（Ｂ）の左方であって距離Ｌ２を参照）。
【００２８】
係合突起１５が後方室２５ａの後端（奥部移動室２５内の後方限界）に達することで、係合突起１５の後方移動が阻止され、引き戸４の変形に抑止力が作用することは言うまでもない。
なお、上記説明から明らかなように、本来、雌部材８は、引き戸４に対する取付高さ位置に応じて、奥部移動室２５が前方室２５ｂを備えたものと、後方室２５ａを備えたものとに区別することができるものである。ただ本実施形態では、部品の共通化を図る目的で、奥部移動室２５が前方室２５ｂ及び後方室２５ａを両方備える形状としてある。
【００２９】
雌部材８の取付板部２２は、各ハウジングブロック２３を縦並びの配置にして支持できる帯板材によって形成されており、戸枠の縦枠部３ａに面対偶（面接触状態）で取り付ける際に、縦枠部３ａへ向けてボルト等を差し込むための取付孔２７が複数形成されている。
以上詳説したところから明らかなように、本発明に係る防火装置１は以下の如く作用する。すなわち、図３（Ａ）に示すように引き戸４を閉鎖したり、図３（Ｂ）に示すように引き戸４を開放したりする際に、防火装置１の雄部材７が有する係合突起１５は、雌部材８の係合口２４及び奥部移動室２５に対して左右方向で真っ直ぐに出たり入ったりする。ここにおいて防火装置１は、引き戸４のスライドに何ら支障を及ぼすものではない。
【００３０】
図３（Ａ）に示した引き戸４の閉鎖状態において、閉鎖側の区画（図中の上側）で火災などが発生し引き戸４が加熱（白抜き矢符参照）されたとする。これにより引き戸４には、加熱側（図３（Ａ）上方及び図６右方）へ凸となる膨張変形が起こることになる。このとき、引き戸４の上部に設けられた雌部材８では、図４（Ａ）に示すように、奥部移動室２５に嵌る係合突起１５が前方室２５ｂへ向けて前方移動し、また同様に、引き戸４の下部に設けられた雌部材８でも、図４（Ｃ）に示すように、奥部移動室２５に嵌る係合突起１５が前方室２５ｂへ向けて前方移動するようになる。従って係合突起１５には、前方室２５ｂへ向かうカム作用発生部（勾配面）からカム作用を受けて、引き戸４を閉鎖方向へ
押す力が生じる。
【００３１】
これに対し、引き戸４の上下方向中間部に設けられた雌部材８では、図４（Ｂ）に示すように、奥部移動室２５に嵌る係合突起１５が後方室２５ａへ向けて後方移動するようになる。従って係合突起１５には、後方室２５ａへ向かうカム作用発生部（勾配面）からカム作用を受けて、引き戸４を閉鎖方向へ押す力が生じる。
このように、引き戸４の上部に設けられた雌部材８（図４（Ａ））、引き戸４の上下方向中間部に設けられた雌部材８（図４（Ｂ））、更には、引き戸４の下部に設けられた雌部材８（図４（Ｃ））のいずれについても、引き戸４に生じた膨出変形を最大限に有効利用して、引き戸４を閉鎖方向へ押す力が得られるものとなっている。
【００３２】
図５（Ｂ）に示すような片引き戸タイプの引き戸装置５Ｂでは、引き戸４の全閉時において、閉鎖位置Ｓ側とされる戸枠の縦枠部３ａに対して引き戸４の縦縁部４ａが直接に突き当たる構造であったり、或いは図３に示すように、戸枠の縦枠部３ａと引き戸４の縦縁部４ａとに設けられた噛み合い部材２８，２９が互いに噛み合う構造であったりする。それ故、前記ように引き戸４に対して閉鎖方向へ押す力が生じることで、これら各構造部分で密着が起こり、その結果、引き戸４の外周部から火炎が噴き出すことが確実に防止されるものである。
【００３３】
また、図５（Ａ）に示すような両引き戸タイプの引き戸装置５Ａでは、両側の引き戸４が、互いに対向する縦縁部４ａ同士を突き当てるようにして全閉する。それ故、前記のように両側の引き戸４に対して閉鎖方向へ押す力が生じることで、これら縦縁部４ａ間で密着が起こり、その結果、引き戸４の外周部から火炎が噴き出すことが確実に防止されるものである。
【００３４】
引き戸４が区画外側（図６の左側）から加熱され、反対側（図６の右側）へ膨出変形した場合でも、防火装置１は前記と前後逆となる点を除いて、略同じ作用が得られるものとなり、火炎の噴き出しは確実に防止されるものである。
なお、図１に一例を示したように、引き戸４には、縦縁部４ａで戸枠の縦枠部３ａへ向けて鉤型に前方突出する第１、第２の煙返し縁３０，３１を設けておき、対する戸枠の縦枠部３ａでは、引き戸４の閉鎖時においてこれら第１、第２の煙返し縁３０，３１と噛み合うように逆向きの鉤型に後方突出する第３、第４の煙返し縁３２，３３を設けておくのが好適である。これら第１、第２の煙返し縁３０，３１の噛み合いや、第３、第４の煙返し縁３２，３３の噛み合いによっても、幾らかは引き戸４の反りを防止する作用をも期待できる。
【００３５】
以上の説明は、本発明に係る防火装置１を片引き戸タイプの引き戸装置５Ｂに対して実施した場合である。とはいえ、本発明に係る防火装置１を両引き戸タイプの引き戸装置５Ａ（図５（Ａ）参照）に対して実施する場合では、両側の引き戸４の尻側縦縁部４ａ（左側の引き戸４の左側及び右側の引き戸４の右側）に対し、それらに雄部材７を取り付け、各引き戸４が全閉時とされたときに出会うようになる戸枠の左右それぞれの縦枠部３ａに雌部材８を取り付けるようにすれば、その他の構成や作用効果は略同じである。
【００３６】
図７は、本発明に係る防火装置１において、引き戸４の頭部側（閉鎖位置Ｓ側の）縦縁部４ａに雌部材８を設け、引き戸４が閉鎖したときにこの頭部側縦縁部４ａと出会うようになる戸枠の縦枠部３ａに、引き戸４のスライドによって雌部材８と対向して近接離反する配置で雄部材７を設けるようにした第２例を示している。
その他の構成及び作用効果については、図１乃至図６に基づいて説明した実施形態と略同様であり、同一作用を奏するものに同一符号を付することでここでの詳説は省略する。
【００３７】
図８は、本発明に係る防火装置１において、引き戸４の頭部側（閉鎖位置Ｓ側の）縦縁部４ａに雄部材７を設け、引き戸４が閉鎖したときにこの頭部側縦縁部４ａと出会うようになる戸枠の縦枠部３ａに、引き戸４のスライドによって雄部材７と対向して近接離反する配置で雌部材８を設けるようにした第３例を示している。この第３例では、防火装置１（雄部材７及び雌部材８）が引き戸４によって閉鎖される区画内側となるように配置されることになるので、区画内と区画外との間に大きな温度差が生じることはない場合に実施することが推奨される。
【００３８】
その他の構成及び作用効果については、図１乃至図６に基づいて説明した実施形態や、図７に示した第２例と略同様であり、同一作用を奏するものに同一符号を付することでここでの詳説は省略する。
図９は、図８に示した第３例について、更に、雄部材７と雌部材８との配置関係を相対的に入れ替えた第４例を示している。このように変更した配置関係を除けば、その他の構成及び作用効果については第３例と略同様であり、同一作用を奏するものに同一符号を付することでここでの詳説は省略する。
【００３９】
ところで、本発明は、前記各実施形態に限定されるものではなく、実施の形態に応じて適宜変更可能である。
例えば、雄部材７での係合突起１５の形成数や、雌部材８での係合口２４及び奥部移動室２５の形成数は、図１乃至図６で説明した実施形態では３つとしたが、１つ又は２つとしてもよいし、４つ以上としてもよい。また、雄部材７と雌部材８との組み合わせ数についても、特に限定されるものではなく、引き戸４における上部及び下部の高さに対応させるように２組とするようなことも可能である。
【００４０】
雄部材７における係合突起１５の形状や、雌部材８における係合口２４の開口形状及び奥部移動室２５の開口形状などについても、適宜変更可能である。殊に、雌部材８に設けるカム作用発生部は、勾配面で形成することが限定されるものではなく、係合口２４と奥部移動室２５（後方室２５ａや前方室２５ｂ）との間が段差状に繋げられたものとしてもよい。
【００４１】
言うまでもなく、本発明に係る防火装置１は、冷凍庫の引き戸装置として実施することが限定されるものではない。
【符号の説明】
【００４２】
１  防火装置
２  開口
３ａ  縦枠部
３ｂ  上枠部
３ｃ  床部
３ｃ  床面
４  引き戸
４ａ  縦縁部（尻側縦縁部又は頭部側縦縁部）
５  引き戸装置
５Ａ  両引き戸タイプの引き戸装置
５Ｂ  片引き戸タイプの引き戸装置
７  雄部材
８  雌部材
１２  取付板部
１３  支持板部
１４  突起形成板部
１５  係合突起
１７  切欠
１８  取付孔
２２  取付板部
２３  ハウジングブロック
２４  係合口
２５  奥部移動室
２５ａ  後方室
２５ｂ  前方室
２７  取付孔
２８  反り防止部材
２９  反り防止部材
３０  第１の煙返し縁
３１  第２の煙返し縁
３２  第３の煙返し縁
３３  第４の煙返し縁
Ｓ  閉鎖位置
Ｗ  口幅
【要約】
【課題】防火装置において、引き戸に対して実施可能であり、火災発生時などに火炎の噴き出しを防止することができ、防火構造としての法的認定を受けることもできる。
【解決手段】開口２を形成させた戸枠とスライドにより開口２を開閉する引き戸４との両者間にあって引き戸４の全閉時に互いに出会うようになる引き戸４の縦縁部４ａと戸枠の縦枠部３ａのうち一方に設けられる雄部材７と、同他方に設けられる雌部材８とを有し、雄部材７には引き戸４のスライドにより雌部材８と対向して近接離反する配置で係合突起１５が設けられており、雌部材８には引き戸４の閉鎖方向のスライドにより係合突起１５を嵌め入れる係合口２４と、係合口２４より奥方の嵌め位置で前後方向に広がって係合突起１５に前後移動を許容させる奥部移動室２５とが形成されている。
【選択図】図１【図１】
0005468702.tif 000002
【図２】
0005468702.tif 000003
【図３】
0005468702.tif 000004
【図４】
0005468702.tif 000005
【図５】
0005468702.tif 000006
【図６】
0005468702.tif 000007
【図７】
0005468702.tif 000008
【図８】
0005468702.tif 000009
【図９】
0005468702.tif 000010